(57)【要約】【課題】前記支持枠体や外枠用の支柱の倒伏、起立操作を容易に行うことができるようにしたフィルムロール体用のパレットを提供する。【解決手段】底枠体１０の長手方向の両端部に、フィルムロール体のコア両端部を支持する支持枠体とは別に倒伏可能な外枠用の支柱３０を備え、この支柱３０を、底枠体の長手方向のフレーム材１１に対し、支柱下部に付設された連結部材３４を介して回動可能に連結し、フレーム材１１上に直立する立設位置と、フレーム材１１に対し平行になる倒伏位置との間で起倒可能に設け、連結部材３４に軸支したストッパー部材３６を、支柱３０の倒伏状態からの起立動作によりフレーム材１１上を摺動して支柱３０が直立状態なったときにフレーム材１１上のストッパー用突起部１９に係止するようにする。【選択図】図６
2011037483.tif 000002
【特許請求の範囲】
【請求項１】
巻き芯用のコアの外周に該コアの両端部を残余させてフィルム材を巻回して包装してなるフィルムロール体を、コア両端部で支持して搬送するためのパレットであって、
フィルムロール体の長さ及び直径に応じた長さ及び幅を有する平面長方形の底枠体と、
前記底枠体の長手方向の両端部において、それぞれ底枠体の幅方向両側端より内方の位置で該底枠体の長手方向内方に倒伏可能に立設された２本の支柱と、前記両支柱間に架渡された支持部材とを有し、前記フィルムロール体のコア両端部を支持する支持枠体と、
前記底枠体の長手方向の両端部において、それぞれ前記支持枠体より底枠体の幅方向外側の位置で該底枠体の長手方向内方に倒伏可能に立設された外枠用の支柱とを備え、
前記支持枠体の支柱と前記外枠用の支柱のうちの少なくとも外枠用の支柱は、それぞれの支柱下部に付設された連結部材が前記底枠体の長手方向のフレーム材に対し幅方向の軸心を持つ軸支部により回動可能に連結されることにより、支柱下端が前記フレーム材上に載接して直立する立設位置と、前記フレーム材に対し平行になる倒伏位置との間で起倒可能に設けられており、
前記連結部材にはそれぞれ前記支柱の直立状態において前記フレーム材上に付設されたストッパー用突起部に対し係止するストッパー部材が軸支され、該ストッパー部材が、前記支柱の倒伏状態からの起立動作により前記フレーム材上に沿って移動して前記支柱が直立状態なったときに前記ストッパー用突起部に係止するように設けられてなることを特徴とするフィルムロール体用のパレット。
【請求項２】
前記連結部材が支柱下部において底枠体の長手方向内方側へ突出して付設されており、前記フレーム材に対する該連結部材の軸支部が、前記支柱の立設位置より底枠体の長手方向内方側にあり、前記連結部材の上部に前記ストッパー部材の一端部が回動可能に軸支され、前記支柱の倒伏状態からの起立動作により該ストッパー部材の他端部がフレーム材上を摺動して直立状態になったときに前記フレーム材上のストッパー用突起部に対し自重で係止するように設けられてなる請求項１に記載のフィルムロール体用のパレット。
【請求項３】
前記ストッパー部材は、ストッパー用突起部に係止する端部に重りが付設されてなる請求項２に記載のフィルムロール体用のパレット。
【請求項４】
前記ストッパー部材が、前記フレーム材と略同幅の板体よりなり、該板体の側縁に係止状態の解除操作用のツマミが設けられてなる請求項３に記載のフィルムロール体用のパレット。
【発明の詳細な説明】
【技術分野】
【０００１】
本発明は、巻き芯用のコアの外周にフィルム材を巻回して包装材により包装されてなるフィルムロール体をコア両端部で支持して搬送するための架台としてのパレットに関するものである。
【背景技術】
【０００２】
従来より、ポリエチレンテレフタレートフィルム、ポリエチレンフィルムその他の各種の合成樹脂フィルム、あるいは前記フィルムに塗装等の加工を施した各種のフィルムは、巻き芯としてコアの外周に、その両端部を残余させてロール状に巻回して保護用の包装材により包装したフィルムロール体とし、このフィルムロール体を専用の架台としてのパレットにより支持して、輸送及び保管に供されている。
【０００３】
前記フィルムロール体を支持するパレットとしては、フィルムロール体の長さ及び直径に応じた長さ及び幅を有する平面長方形の底枠部の長手方向の両端部に、フィルムロール体のコア両端部を支持する支持枠部、及び段積みのための外枠用の支柱を設けたものが使用されている。
【０００４】
かかるパレットにおいて、輸送先からのパレット返送時に、両端部の支持枠部が立設状態のままでは嵩が高く、輸送効率が悪くなるため、両端部の支持枠部や支柱等を長手方向内方側へ倒伏可能に設け、空パレットの返送等の取り扱いにおいては、支持枠部や支柱を折り畳んでおくことができるパレットが提案されている（特許文献１及び２）。
【０００５】
このように、長手方向の両端部の支持枠部や支柱を折り畳み可能に構成した場合には、直立状に起立させた立設状態において、輸送時の振動等によっても倒れないように安定性よく保持するために、何らかのストッパー構造を必要とする。
【０００６】
前記ストッパー構造として、前記特許文献１及び２のように、起立させた支持枠部を少し持ち上げてストッパー用の凸起を切欠部に嵌め込む方式では、鋼材等により形成されたかなり重い支持枠部を持ち上げる必要があり、また倒伏させる際にも支持枠部を持ち上げる必要があり、倒伏、起立操作が面倒なものである。
【先行技術文献】
【特許文献】
【０００７】
【特許文献１】特開２００２−２５５４５５号公報
【特許文献２】特開２００４１６１３１４号公報
【発明の概要】
【発明が解決しようとする課題】
【０００８】
本発明は、各種のフィルムロール体をコア両端部で支持して搬送するためのパレットとして、コア両端部を支持する支持枠体、及び外枠用の支柱を倒伏可能に設けて、かつ起立状態を安定性よく保持するためのストッパー構造を備えるものにおいて、上記の問題を解決して、前記支持枠体や外枠用の支柱の倒伏、起立操作を容易に行うことができるようにしたフィルムロール体用のパレットを提供するものである。
【課題を解決するための手段】
【０００９】
上記の課題を解決する本発明は、巻き芯用のコアの外周に該コアの両端部を残余させてフィルム材を巻回して包装してなるフィルムロール体を、コア両端部で支持して搬送するためのパレットであって、フィルムロール体の長さ及び直径に応じた長さ及び幅を有する平面長方形の底枠体と、前記底枠体の長手方向の両端部において、それぞれ底枠体の幅方向両側端より内方の位置で該底枠体の長手方向内方に倒伏可能に立設された２本の支柱と、前記両支柱間に架渡された支持部材とを有し、前記フィルムロール体のコア両端部を支持する支持枠体と、前記底枠体の長手方向の両端部において、それぞれ前記支持枠体より底枠体の幅方向外側の位置で該底枠体の長手方向内方に倒伏可能に立設された外枠用の支柱とを備え、前記支持枠体の支柱と前記外枠用の支柱のうちの少なくとも外枠用の支柱は、それぞれの支柱下部に付設された連結部材が前記底枠体の長手方向のフレーム材に対し幅方向の軸心を持つ軸支部により回動可能に連結されることにより、支柱下端が前記フレーム材上に載接して直立する立設位置と、前記フレーム材に対し平行になる倒伏位置との間で起倒可能に設けられており、前記連結部材にはそれぞれ前記支柱の直立状態において前記フレーム材上に付設されたストッパー用突起部に対し係止するストッパー部材が軸支され、該ストッパー部材が、前記支柱の倒伏状態からの起立動作により前記フレーム材上に沿って移動して前記支柱が直立状態なったときに前記ストッパー用突起部に係止するように設けられてなることを特徴とするものである。実施上は、前記支持枠体の支柱と前記外枠用の支柱の双方が前記のように構成されているのが好ましい。
【００１０】
前記のフィルムロール体用のパレットにおいて、前記連結部材が支柱下部において底枠体の長手方向内方側へ突出して付設されており、前記フレーム材に対する該連結部材の軸支部が、前記支柱の立設位置より底枠体の長手方向内方側にあり、前記連結部材の上部に前記ストッパー部材の一端部が回動可能に軸支され、前記支柱の倒伏状態からの起立動作により該ストッパー部材の他端部がフレーム材上を摺動して直立状態になったときに前記フレーム材上のストッパー用突起部に対し自重で係止するように設けられてなるものとすることができる。
【００１１】
前記パレットにおいて、前記ストッパー部材は、ストッパー用突起部に係止する端部に重りが付設されてなるものとすることができる。また、前記ストッパー部材が、前記フレーム材と略同幅の板体よりなり、該板体の側縁に係止状態の解除操作用のツマミが設けられてなるものとすることができる。
【図面の簡単な説明】
【００１２】
【図１】本発明の実施例のパレットを示す正面図である。
【図２】同上のパレットの平面図である。
【図３】同上のパレットの側面図である。
【図４】図１の一部の拡大図である。
【図５】支持枠体の支柱の倒伏及び起立状態の拡大説明図である。
【図６】段積み用支柱の倒伏及び起立状態の拡大説明図である。
【図７】同上のストッパ部分の拡大斜視図である。
【図８】同上の断面図である。
【発明を実施するための形態】
【００１３】
次に本発明の実施の形態を図面に示す実施例に基づいて説明する。
【００１４】
支持対象物としてのフィルムロール体Ｒは、従来同様に、プラスチック製の円筒体等よりなる巻き芯としてのコアＣの外周に該コアＣの両端部ｃ１，ｃ１を残余させて長尺のフィルム材をロール状に巻回して包装材により包装したものであり、ここでは詳しい説明を省略する。
【００１５】
前記フィルムロール体Ｒを支持して搬送するための本発明に係るパレットＡは、フィルムロール体Ｒの長さ及び直径に応じた長さ及び幅を有する横長の平面長方形をなす底枠体１０と、前記底枠体１０の長手方向（左右方向）の両端部において、それぞれ底枠体１０の幅方向（前後方向）両側端より内方の位置で前記フィルムロール体Ｒのコア両端部ｃ１，ｃ１を支持するように対向して立設された一対の支持枠体２０，２０と、前記底枠体１０の長手方向の両端部において、それぞれ前記支持枠体２０，２０より底枠体１０の幅方向外側の位置、例えば図のように前後両隅部の位置に立設された左右各２本の段積み用支持体を兼ねる外枠用の支柱３０とを備えてなる。
【００１６】
前記底枠体１０は、幅方向両側端に長手方向（左右方向）に配されたフレーム材１１と、長手方向両端の幅方向（前後方向）のフレーム材１２とにより長方形の枠状に形成され、さらに前後の長手方向のフレーム材１１，１１よりやや内方において長手方向の第２のフレーム材１３が配されるとともに、長手方向の所要間隔毎に幅方向の補強用のフレーム材１４が配されて底枠本体１５が形成されており、この底枠本体１５の下部に、フォークリフトのフォークの挿し込み用の空間を形成するように脚部１６をが付設されてなる。前記脚部１６における四隅部の支脚１７の下部には、パレットＡの段積み時に下段のパレットＡの支柱３０の上端に嵌合できるように下方向きに開口した凹形の位置決め用の嵌合部１７ａが設けられている。
【００１７】
前記長手方向両端部の支持枠体２０は、幅方向両側端より内方の２本の前記フレーム材１３，１３の位置で、前記底枠体１０の長手方向内方に倒伏可能に立設された２本の支柱２１，２１と、両支柱２１，２１間に架渡された支持部材２２とを有し、該支持部材２２の中央部に上方に開口して拡がったＵ字形又は半円形の支持部２２ａが設けられ、該支持部２２ａで前記フィルムロール体ＲのコアＣの端部ｃ１を揺動させないように保持して支持できるようになっている。図中２３は、前記支持部２２ａの開口部を開閉できるように前記支持部材２２にヒンジ連結された固定部材であり、前記支持部２２ａに支持したコア端部ｃ１の浮き上がりを阻止できるように設けられている。通常、前記固定部材２３を前記支持部２２ａの開口部を閉じた状態に保持する係止手段が設けられる。
【００１８】
前記支持枠体２０の支柱２１を前記底枠体１０の前記第２のフレーム材１３上に倒伏可能に立設する手段として、支柱下部には、前後方向両側面に、前記フレーム材１３に対する連結部材２４が溶接手段等により付設されている。この連結部材２４は、底枠体１０の長手方向内方側へ突出して付設されており、該連結部材２４の下部が底枠体１０の長手方向内方側やや下方に延び、該連結部材２４の下部が前記フレーム材１３に対して支柱立設位置より前記長手方向の内方位置で幅方向の軸心を持つ軸支部２５により回動可能に連結されている。これにより、前記支柱２１は、支柱下端が前記フレーム材１３上に載接して直立する立設位置（図４及び図５の実線）と、前記フレーム材１３に対し平行になる倒伏位置との間で起倒可能に設けられている。符号２５ａは前記軸支部２５の軸支ピンであり、前記フレーム材１３を貫通してナット等の締結手段により連結部材２４の回動を許容するように固定されている。
【００１９】
前記連結部材２４には、それぞれ前記支柱２１の直立状態において前記フレーム材１３の上面に付設されたストッパー用突起部１８に対して係止するストッパー部材２６が軸支されて設けられている。このストッパー部材２６は、前記支柱２１の倒伏状態からの起立動作により前記フレーム材１３上に沿って移動して前記支柱２１つまり支持枠体２０が直立状態なったときに、前記ストッパー用突起部１８に対し斜めになって係止するようになっている。前記ストッパー用突起部１８は、図のように丸棒よりなるものを溶接手段により付設するほか、他の棒体や凸片を溶接手段等により付設して実施できる。
【００２０】
図示する実施例の場合、前記連結部材２４の上部に、前記フレーム材１３と略同幅の板体よりなる前記ストッパー部材２６の一端部２６ａが軸支ピン２７により回動可能に軸支されて揺動可能に設けられ、前記支柱２１の倒伏状態からの起立動作により該ストッパー部材２６の他端部２６ｂが前記フレーム材１３上を斜めになって摺動して直立状態になったときに、前記ストッパー用突起部１８に対して自重で係止するように設けられている。図のように、前記ストッパー用突起部１８に係止する前記ストッパー部材２６の前記他端部２６ｂに金属の棒体よりなる重り２８が付設されていると、前記ストッパー用突起部１８に対し自重で係止した状態になり易く好ましい。前記の重り２８は、図のように丸棒よりなるものには限らず、重りとして作用する種々の形態による実施が可能である。
【００２１】
図中の符号２６ｃは、前記ストッパー部材２６を形成する板体の側縁に設けた係止状態解除操作用のツマミであり、該ツマミ２６ｃによりストッパー部材２６を持ち上げて前記ストッパー用突起部１８に対する係止状態を解除することにより、前記支柱２１すなわち支持枠体２０を長手方向内方へ倒伏させることができるように設けられている。符号２９は前記支持枠体２０のパレット長手方向外方への傾きを規制して直立状態に保持するための補助部材である。
【００２２】
また、前記底枠体１０の長手方向両端部の前後両隅部に立設された前記段積み用支持体を兼ねる外枠用の各支柱３０は、前記底枠体１０の長手方向のフレーム材１１上において前記長手方向内方に倒伏可能に立設されている。この支柱３０の高さは前記フィルムロール体Ｒの直径と同程度の高さ又はやや高くて、前記フィルムロール体Ｒを支持した状態のパレットＡを段積みできるようになっている。前記支柱３０の上端部近傍の高さ位置の底枠体１０の幅方向外側面には、それぞれ上下方向の筒状をなす係止部３１が付設されており、該係止部３１に長手方向に架渡されるバー部材３２の両端部が嵌合係止可能に設けられており、これにより前後の枠部を組み立て構成できるようになっている。
【００２３】
そして、前記各支柱３０を倒伏可能に立設する手段として、支柱下部には前後方向両側面に前記底枠体１０の長手方向のフレーム材１１に対する連結部材３４が底枠体１０の長手方向内方側へ突出して付設されている。図の場合、前記支柱３０の底枠体の長手方向内面側に横断面コ字形の補助部材３３が溶接手段により付設され、該補助部材３３に前記連結部材３４が溶接手段等により付設されて、底枠体の長手方向内方側へ突出している。前記連結部材３４の下部が底枠体１０の長手方向内方側やや下方に延び、該連結部材３４の下部が前記フレーム材１１に対して支柱立設位置より前記長手方向の内方位置で幅方向の軸心を持つ軸支部３５により回動可能に連結されている。これにより、前記支柱３０は、支柱下端が前記フレーム材１１上に載接して直立する立設位置と、前記フレーム材１１に対し平行になる倒伏位置との間で起倒可能に設けられている。符号３５ａは前記軸支部３５の軸支ピンであり、前記フレーム材１１を貫通してナット等の締結手段により連結部材３４の回動を許容するように固定されている。
【００２４】
前記連結部材３４には、それぞれ前記支柱３０の直立状態において前記フレーム材１１の上面に付設されたストッパー用突起部１９に対し係止するストッパー部材３６が軸支されて設けられている。このストッパー部材３６は、前記支柱３０の倒伏状態からの起立動作により前記フレーム材１１上に沿って移動して前記支柱３０が直立状態なったときに前記ストッパー用突起部１９に対し図のように斜めになって係止するようになっている。前記ストッパー用突起部１９は、図のように丸棒よりなるものを溶接手段により付設するほか、他の棒体や凸片を溶接手段等により付設して実施できる。
【００２５】
図示する実施例の場合、前記連結部材３４の上部に、前記フレーム材１１と略同幅の板体よりなる前記ストッパー部材３６の一端部３６ａが軸支ピン３７により回動可能に軸支されて斜めになって前記フレーム材１１上に当接するように設けられており、前記支柱３０の倒伏状態からの起立動作により該ストッパー部材３６の他端部３６ｂが前記フレーム材１１上を摺動して直立状態になったときに、前記ストッパー用突起部１９に対して自重で係止するように設けられている。図のように、前記ストッパー用突起部１９に係止する前記ストッパー部材３６の前記他端部３６ｂに棒体等よりなる重り３８が付設されていると、前記ストッパー用突起部１８に対し自重で係止した状態になり易く好ましい。このほか、前記ストッパー部材３６をばね手段により弾力的にフレーム材１１上に当接する方向に付勢しておくこともできる。
【００２６】
図中の符号３６ｃは、前記ストッパー部材３６を形成する板体の側縁に設けた係止状態解除操作用のツマミであり、該ツマミ２６ｃによりストッパー部材３６を持ち上げて前記ストッパー用突起部１９に対する係止状態を解除することにより、前記支柱３０を長手方向内方へ倒伏させることができるように設けられている。符号３９は前記支柱３０のパレット長手方向の外方への傾きを規制するための受け部材であり、パレット長手方向の内方向きに開口した横断面コ字形をなして前記底枠体１０に突設されており、起立する支柱３０が嵌合することにより直立状態に安定性よく保持できるようになっている。
【００２７】
符号４０は、納入先からの空パレットＡの返送時に、使用済みのフィルムロール体ＲのコアＣを載置するための載置台であり、倒伏可能に設けられており、通常の使用時に葉倒伏させておけるようになっている。
【００２８】
上記構成のパレットＡの使用において、倒伏状態に折り畳まれた外枠用の支柱３０及び支持枠体２０を起立させると、例えば前記支持枠体２０については、支柱２１の起立動作に伴って、底枠体１０に対する連結部材２４に軸支されて設けられているストッパー部材２６が長手方向のフレーム材１３上を摺動して、該支柱２１がフレーム材１３に対し垂直に近くなると、前記ストッパー部材２６が前記フレーム材１３上に乗り上げ、さらに該支柱２１がフレーム材１３に対し垂直の直立状態になると、前記ストッパー部材２６が前記ストッパー用突起部１８を乗り超えて、自重で該突起部１８に係止する。これにより、前記支柱２１つまりは支持枠体２０が直立状態に安定性よく保持される。
【００２９】
前記外枠用の支柱３０についても、前記と同様に、支柱３０の起立動作に伴って、底枠体１０に対する連結部材３４に軸支されて設けられているストッパー部材３６が長手方向のフレーム材１１上を摺動して、該支柱３０がフレーム材１１に対し垂直に近くなると、前記ストッパー部材３６が前記フレーム材１１上のストッパー突起部１９に乗り上げ、さらに該支柱３０がフレーム材１１に対し垂直の直立状態になると、前記ストッパー部材３６が前記突起部１９を乗り超えて、自重で該突起部１９に係止する。これにより、前記支柱３０が直立状態に安定性よく保持される。
【００３０】
このため、前記支持枠体２０及び外枠用の支柱３０を持ち上げなくても、ストッパーを係止させることが起倒操作を容易に行える。
【００３１】
なお、輸送の際には、パレット長手方向の両端部の前後の支柱３０，３０にそれぞれ長手方向のバー部材３２を架渡して前後の枠部を構成する。また、前記支持枠体２０にフィルムロール体Ｒを支持させる作業の際、あるいは輸送先で支持枠体２０に支持されている前記フィルムロール体Ｒを降ろす際には、前後一方のバー部材３２を外して、支柱３０を倒伏させておくことにより、前記フィルムロール体Ｒをそれほど高く持ち上げなくても、前記支持枠体２０に対し脱着できることになり、作業が行い易くなる。
【００３２】
そして、前記支持枠体２０及び支柱３０を倒伏させるには、前記ストッパー部材２６、３６をツマミ２６ｃ，３６ｃで僅かに持ち上げてストッパー用突起部１８，１９に対する係止を外すことにより、長手方向内方へ難なく倒伏させることができる。
【００３３】
このように、比較的重い支持枠体２０及び支柱を持ち上げなくても、ストッパー構造を係脱でき、作業性を改善できる。
【符号の説明】
【００３４】
Ａ…パレット、Ｒ…フィルムロール体、Ｃ…コア、ｃ１…コア端部、１０…底枠体、１１…フレーム材、１２…フレーム材、１３…フレーム材、１４…補強用のフレーム材、１５…底枠本体、１６…脚部、１７…支脚、１７ａ…嵌合部、１８，１９…ストッパー突起部、２０…支持枠体、２１…支柱、２２…支持部材、２２ａ…支持部、２３…固定部材、２４…連結部材、２５…軸支部、２５ａ…軸支ピン、２６…ストッパー部材、２６ａ…一端部、２６ｂ…他端部、２６ｃ…ツマミ、２７…軸支ピン、２８…重り、３０…外枠用の支柱、３１…係止部、３２…バー部材、３３…補助部材、３４…連結部材、３５…軸支部、３５ａ…軸支ピン、３６…ストッパー部材、３６ａ…一端部、３６ｂ…他端部、３６ｃ…ツマミ、３７…軸支ピン、３８…重り、４０…載置台。
【図１】
2011037483.tif 000003
【図２】
2011037483.tif 000004
【図３】
2011037483.tif 000005
【図４】
2011037483.tif 000006
【図５】
2011037483.tif 000007
【図６】
2011037483.tif 000008
【図７】
2011037483.tif 000009
【図８】
2011037483.tif 000010
【手続補正書】
【提出日】平成21年8月20日(2009.8.20)
【手続補正１】
【補正対象書類名】図面
【補正対象項目名】全図
【補正方法】変更
【補正の内容】
【図１】
2011037483.tif 000011
【図２】
2011037483.tif 000012
【図３】
2011037483.tif 000013
【図４】
2011037483.tif 000014
【図５】
2011037483.tif 000015
【図６】
2011037483.tif 000016
【図７】
2011037483.tif 000017
【図８】
2011037483.tif 000018